【事件の表示】
　特願２００２−２５６１８７「インクジェット式プリンタのヘッド駆動装置」拒絶査定不服審判事件〔平成１６年　３月２５日出願公開、特開２００４−　９０５０１〕について、次のとおり審決する。
【結　論】
　本件審判の請求は、成り立たない。
【理　由】
１．手続の経緯
　本願は、平成１４年８月３０日の出願であって、平成１９年１０月３０日付けで拒絶査定がなされ、これに対して同年１２月１３日付けで審判請求がされるとともに、平成２０年１月１１日付けで手続補正書が提出され、その後、当審の審尋に対する回答書が平成２１年１０月２７日付けで提出されたものである。
　
２．平成２０年１月１１日付け手続補正についての補正却下の決定
　
［補正の却下の決定の結論］
　平成２０年１月１１日付けの手続補正を却下する。
　
［理由］
（１）補正事項
　平成２０年１月１１日付けの手続補正（以下、「本件補正」という。）により、特許請求の範囲については、本件補正前の平成１９年８月３１日付け手続補正書により補正された、
 　
「【請求項１】
複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、スイッチ回路ＩＣが所定温度以上になったことを検出して、印刷動作を制御する、インクジェット式印刷装置のヘッド駆動装置において、
上記スイッチ回路ＩＣが、上記所定温度以上になったことを印刷パス開始毎に検出し、上記ダイオードのアノード・カソード間電圧が基準値より低くなったとき、ケーブルを介して印刷装置本体の制御部に対してデジタル信号を出力する温度検出部を含んでいることを特徴とする、インクジェット式印刷装置のヘッド駆動装置。
【請求項２】
上記制御部にて、上記スイッチ回路ＩＣが所定温度以上になったことを検出した場合には、印刷動作を中断し、上記スイッチ回路ＩＣが規定温度以下になるまで、印刷動作を開始しないことを特徴とする、請求項１に記載のインクジェット式印刷装置のヘッド駆動装置。
【請求項３】
上記温度検出部が、温度検出のための基準温度に対応する基準値を設定する温度設定部と、上記ダイオードのアノード・カソード間電圧と、上記温度設定部からの基準値とを比較して、上記ダイオードのアノード・カソード間電圧が基準値より高くなったとき、印刷装置本体の制御部に対してデジタル信号を出力するコンパレータと、から構成されていることを特徴とする、請求項１又は２に記載のインクジェット式印刷装置のヘッド駆動装置。
【請求項４】
各スイッチ回路ＩＣのコンパレータから出力されるデジタル信号が、それぞれ互いに独立的に印刷装置本体の制御部に対して出力されることを特徴とする、請求項３に記載のインクジェット式印刷装置のヘッド駆動装置。
【請求項５】
さらに各コンパレータから出力されるデジタル信号がそれぞれゲートに入力され、出力がオープンドレインにされたＦＥＴをスイッチ回路ＩＣ毎に備えていることを特徴とする、請求項４に記載のインクジェット式印刷装置のヘッド駆動装置。
【請求項６】
上記各スイッチ回路ＩＣのＦＥＴのオープンドレインから出力されるデジタル信号が、それぞれ互いに独立的に印刷装置本体の制御部に対して出力されることを特徴とする、請求項５に記載のインクジェット式印刷装置のヘッド駆動装置。
【請求項７】
上記各スイッチ回路ＩＣのＦＥＴのオープンドレインから出力されるデジタル信号が、それぞれ互いにアンド接続されて、一本のケーブルにより印刷装置本体の制御部に対して出力されることを特徴とする、請求項５に記載のインクジェット式印刷装置のヘッド駆動装置。
【請求項８】
複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、スイッチ回路ＩＣが所定温度以上になったことを検出して、印刷動作を制御する、インクジェット式印刷装置のヘッド駆動方法において、
温度検出部が上記スイッチ回路ＩＣの上記所定温度以上になったことを印刷パス開始毎に検出し、上記ダイオードのアノード・カソード間電圧が基準値より低くなったとき、ケーブルを介して印刷装置本体の制御部に対してデジタル信号を出力することを特徴とする、インクジェット式印刷装置のヘッド駆動方法。」
　
から、
　
「【請求項１】　複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、前記スイッチ回路ＩＣが所定温度以上になったことを検出して、印刷動作を制御する、インクジェット式印刷装置のヘッド駆動装置において、
　前記ダイオードには一定の電圧の電源が接続され、前記ダイオードは温度に応じた前記アノード・カソード間電圧を出力し、
　前記ダイオードの前記アノード・カソード間電圧に基づいて、前記スイッチ回路ＩＣの温度を前記所定温度と比較し、上記ダイオードの前記アノード・カソード間電圧が前記所定温度に基づく基準値より低くなったとき、ケーブルを介して印刷装置本体の前記制御部に対して、前記基準値より低くなったことに対応するデジタル信号を出力する温度検出部を、前記印刷ヘッド内に含んでおり、
　前記制御部は、印刷動作にさいして、前記スイッチ回路ＩＣを制御して前記圧電素子を前記駆動信号によって駆動させる制御信号を、前記スイッチ回路ＩＣに出力し、
　前記制御部は、前記デジタル信号に基づいて、上記スイッチ回路ＩＣが、上記所定温度以上になったか否かを各印刷パス開始前の毎に検出し、前記スイッチ回路ＩＣが前記所定温度以上になったことを検出した場合には、当該印刷パスの開始を中断する、
　ことを特徴とする、インクジェット式印刷装置のヘッド駆動装置。
　【請求項２】　上記制御部にて、上記スイッチ回路ＩＣが所定温度以上になったことを検出した場合には、印刷動作を中断し、上記スイッチ回路ＩＣが規定温度以下になるまで、印刷動作を開始しないことを特徴とする、請求項１に記載のインクジェット式印刷装置のヘッド駆動装置。
　【請求項３】　上記温度検出部が、温度検出のための基準温度に対応する基準値を設定する温度設定部と、上記ダイオードのアノード・カソード間電圧と、上記温度設定部からの基準値とを比較して、上記ダイオードのアノード・カソード間電圧が基準値より高くなったとき、印刷装置本体の制御部に対して、前記基準値より高くなったことに対応するデジタル信号を出力するコンパレータと、から構成されていることを特徴とする、請求項１又は２に記載のインクジェット式印刷装置のヘッド駆動装置。
　【請求項４】　各スイッチ回路ＩＣのコンパレータから出力されるデジタル信号が、それぞれ互いに独立的に印刷装置本体の制御部に対して出力されることを特徴とする、請求項３に記載のインクジェット式印刷装置のヘッド駆動装置。
　【請求項５】　さらに各コンパレータから出力されるデジタル信号がそれぞれゲートに入力され、出力がオープンドレインにされたＦＥＴをスイッチ回路ＩＣ毎に備えていることを特徴とする、請求項４に記載のインクジェット式印刷装置のヘッド駆動装置。
　【請求項６】　上記各スイッチ回路ＩＣのＦＥＴのオープンドレインから出力されるデジタル信号が、それぞれ互いに独立的に印刷装置本体の制御部に対して出力されることを特徴とする、請求項５に記載のインクジェット式印刷装置のヘッド駆動装置。
　【請求項７】　上記各スイッチ回路ＩＣのＦＥＴのオープンドレインから出力されるデジタル信号が、それぞれ互いにアンド接続されて、一本のケーブルにより印刷装置本体の制御部に対して出力されることを特徴とする、請求項５に記載のインクジェット式印刷装置のヘッド駆動装置。
　【請求項８】　複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、前記スイッチ回路ＩＣが所定温度以上になったことを検出して、印刷動作を制御する、インクジェット式印刷装置のヘッド駆動方法において、
　前記ダイオードには一定の電圧の電源が接続され、前記ダイオードは温度に応じた前記アノード・カソード間電圧を出力し、
　前記印刷ヘッドに含まれる温度検出部は、前記ダイオードの前記アノード・カソード間電圧に基づいて、前記スイッチＩＣの温度を前記所定温度と比較し、上記ダイオードの前記アノード・カソード間電圧が前記所定温度に基づく基準値より低くなったとき、ケーブルを介して印刷装置本体の前記制御部に対して、前記基準値より低くなったことに対応するデジタル信号を出力し、
　前記制御部は、印刷動作にさいして、前記スイッチ回路ＩＣを制御して前記圧電素子を前記駆動信号によって駆動させる制御信号を、前記スイッチ回路ＩＣに出力し、
　前記制御部は、前記デジタル信号に基づいて、上記スイッチ回路ＩＣの上記所定温度以上になったか否かを各印刷パス開始前の毎に検出し、前記スイッチ回路ＩＣが前記所定温度以上になったことを検出した場合には、当該印刷パスの開始を中断する、
　ことを特徴とする、インクジェット式印刷装置のヘッド駆動方法。」
　
に補正された。
　
　上記補正によって、以下のような補正がなされたといえる。
・請求項１に記載した発明を特定するための事項である「スイッチ回路ＩＣ」の前に「前記」を付加することによって明確化。
・平成１９年１０月３０日付け拒絶査定（以下、単に「拒絶査定」という。）のなお書きにおける、「ダイオード」の接続の態様が不明りょうであるという指摘に対して、請求項１において、「前記ダイオードには一定の電圧の電源が接続され、前記ダイオードは温度に応じた前記アノード・カソード間電圧を出力し、前記ダイオードの前記アノード・カソード間電圧に基づいて」、「前記スイッチ回路ＩＣの温度を前記所定温度と比較」するということを明確化。
・請求項１に記載した発明を特定するための事項である「アノード・カソード電圧」の前に「前記」を付加することによって明確化。
・請求項１に記載した発明を特定するための事項である「アノード・カソード電圧」について、その「基準値」が「所定温度に基づく」ものであることを明確化。
・アノード・カソード間電圧の基準値に対応する、請求項１に記載した発明を特定するための事項である「デジタル信号」について、「前記基準値より低くなったことに対応する」ものであることを明確化。
・請求項１に記載した発明を特定するための事項である「温度検出部」について、「印刷ヘッド内に含んで」いるという限定を付加。
・拒絶査定のなお書きにおける、スイッチ回路ＩＣの印刷パス開始毎の動作が不明りょうであるという指摘に対して、「前記制御部は、印刷動作にさいして、前記スイッチ回路ＩＣを制御して前記圧電素子を前記駆動信号によって駆動させる制御信号を、前記スイッチ回路ＩＣに出力し、前記制御部は、前記デジタル信号に基づいて、上記スイッチ回路ＩＣが、上記所定温度以上になったか否かを各印刷パス開始前の毎に検出し、前記スイッチ回路ＩＣが前記所定温度以上になったことを検出した場合には、当該印刷パスの開始を中断する」と、請求項１に記載した発明を特定するための事項である「制御部」について、「印刷動作にさいして、前記スイッチ回路ＩＣを制御して前記圧電素子を前記駆動信号によって駆動させる制御信号を、前記スイッチ回路ＩＣに出力」し、「前記デジタル信号に基づいて、上記スイッチ回路ＩＣが、上記所定温度以上になったか否かを各印刷パス開始前の毎に検出し、前記スイッチ回路ＩＣが前記所定温度以上になったことを検出した場合には、当該印刷パスの開始を中断する」という限定を付加して明確化。
・アノード・カソード間電圧の基準値に対応する、請求項３に記載した発明を特定するための事項である「デジタル信号」について、「前記基準値より高くなったことに対応する」ものであることを明確化。
・請求項８に対して、請求項１と同様の補正を行って、限定の付加と明確化。
　以上のことを踏まえると、これらの補正事項は、平成１４年法律第２４号改正附則第２条第１項によりなお従前の例によるとされる同法による改正前の同法による改正前の特許法第１７条の２第４項第２号の特許請求の範囲の減縮、及び、同項第４号の明りょうでない記載の釈明を目的とするものに該当する。
　
　そこで、本件補正後の特許請求の範囲に記載された発明のうち、請求項１に記載された発明（以下、「本願補正発明」という。）が、特許出願の際に独立して特許を受けることができるものであるかについて以下に検討する。
　
（２）引用刊行物
　
（２−１）引用刊行物１
　本願の出願前に頒布された特開平８−２４４２３１号公報（拒絶理由通知書における引用文献１、以下、「引用刊行物１」という。）には、図面とともに以下の事項が記載されている（下線は当審で付与）。
　
（１ａ）「【００４０】駆動回路１Ａは、図示していないアクチュエータを作動させるための電気信号を出力する駆動部としてのドライバ２Ａと、
温度検出部としての温度センサー３Ａと、温度センサー３Ａに電流を流すための第１の電流源としての電源に接続された抵抗４Ａと、整流素子としてのダイオード５Ａとにより構成されている
【００４１】
温度センサー３Ａは、Ｐ型半導体とＮ型半導体によるＰＮ接合によるダイオードを複数個直列接続することで構成されている。Ｐ型半導体側は、アノードに相当し、Ｎ型半導体側は、カソードに相当する。温度センサー３Ａは、直列接続されている端のダイオードのカソード端を接地している。そして、温度センサー３Ａは、直列接続されている端のダイオードのアノード端を抵抗４Ａ及びダイオード５Ａのカソードに接続している。尚、ＰＮ接合素子は、環境温度が変化すると、アノードとカソードとの間の電圧値が変化する
【００４２】駆動回路１Ｂ、１Ｃ、１Ｄは、駆動回路１Ａと同様に構成されているので、その説明を省略する。
【００４３】
温度センサー３Ａのアノード端と抵抗４Ａとの接続点に整流素子としてのダイオード５Ａのカソードが接続され、ダイオード５Ａのアノードは、温度信号線７を介して信号変換器６に接続される
【００４４】
温度センサー３Ｂのアノード端と抵抗４Ｂとの接続点に整流素子としてのダイオード５Ｂのカソードが接続され、ダイオード５Ｂのアノードは、温度信号線７を介して信号変換器６に接続される
【００４５】
温度センサー３Ｃのアノード端と抵抗４Ｃとの接続点に整流素子としてのダイオード５Ｃのカソードが接続され、ダイオード５Ｃのアノードは、温度信号線７を介して信号変換器６に接続される
【００４６】
温度センサー３Ｄのアノード端と抵抗４Ｄとの接続点に整流素子としてのダイオード５Ｄのカソードが接続され、ダイオード５Ｄのアノードは、温度信号線７を介して信号変換器６に接続される
【００４７】
ダイオード５Ａ、５Ｂ、５Ｃ、５Ｄのアノードが共通に接続され、その共通接続点に第２の電流源としての電源に接続された抵抗８を接続することにより、電気信号が発生し、その電気信号が温度信号である
【００４８】ＰＮ接合で得られるダイオードに順方向電流を流すことにより、ダイオードのカソードとアノードと間に発生する順電圧は、１つのＰＮ接合あたり約−２ｍＶ／℃の温度係数を持った値である。即ち、図１では、温度センサー３Ａとして４つのダイオードとダイオード５Ａとの計５個が直列接続されているため、ダイオード５Ａのアノードに約−１０ｍＶ／℃の温度係数を持った電圧即ち、温度信号を発生する。
【００４９】
信号変換器６は、入力された温度信号をコントローラ９に適した信号に変換して、コントローラ６に出力する
【００５０】図１に示す制御回路の動作を説明する。
【００５１】
コントローラ９は、駆動回路１Ａ、１Ｂ、１Ｃ、１Ｄに各々接続されているアクチュエータを作動させるための電気信号を駆動回路１Ａ、１Ｂ、１Ｃ、１Ｄに出力する
【００５２】駆動回路１Ａ、１Ｂ、１Ｃ、１Ｄは、前記電気信号にしたがってアクチュエータを作動させる。このとき、ドライバ２Ａ、２Ｂ、２Ｃ、２Ｄに電力損失が生じ発熱する。
【００５３】コントローラ９は、信号変換器６経由で温度信号の異常を監視し、即ち、駆動回路１Ａ、１Ｂ、１Ｃ、１Ｄの温度異常を監視する。
【００５４】
コントローラ９が、駆動回路１Ａ、１Ｂ、１Ｃ、１Ｄの何れにも温度異常が無いと判断した場合には、上述の動作を繰り返す
【００５５】
また、温度信号の電圧がしきい値以下に低下することにより駆動回路１Ａ、１Ｂ、１Ｃ、１Ｄの一つあるいは、複数個が温度異常であるとコントローラ９が判断した場合には、コントローラ９は、駆動回路１Ａ、１Ｂ、１Ｃ、１Ｄに各々接続されているアクチュエータの作動を遅くあるいは、間欠あるいは、中止するような電気信号を出力する
　
（１ｂ）「【００８５】次に、
各色毎、例えばシアン、マゼンダ、イエロー、ブラック毎にインクを噴射するヘッドを備えたカラーインクジェット方式印字装置
【００８６】図５は、アクチュエータとしてのヘッド５０Ａ、５０Ｂ、５０Ｃ、５０Ｄを、制御回路を構成する駆動回路１Ａ、１Ｂ、１Ｃ、１Ｄに各々接続したものである。
【００８７】図５ように構成した印字装置の動作を説明する。
【００８８】
ヘッド５０Ａ、５０Ｂ、５０Ｃ、５０Ｄは、図示していないインク供給系からインクの供給を受け、駆動回路１Ａ、１Ｂ、１Ｃ、１Ｄからインクを噴射させるための駆動信号を加えられることによりインクを噴射する。ヘッド５０Ａ、５０Ｂ、５０Ｃ、５０Ｄのインク噴射方式としては、圧電素子を使用したものや発熱素子を使用したものなどが挙げられる
【００８９】
図示していない印字データ発生装置より印字データが入力されると、コントローラ９は、印字データに基づいて駆動回路１Ａ、１Ｂ、１Ｃ、１Ｄに適したインクを噴射させるための電気信号を出力する
【００９０】
駆動回路１Ａ、１Ｂ、１Ｃ、１Ｄは、コントローラ９からインクを噴射させる電気信号が入力されると、ヘッド５０Ａ、５０Ｂ、５０Ｃ、５０Ｄへ駆動信号を出力する
【００９１】そして、ヘッド５０Ａ、５０Ｂ、５０Ｃ、５０Ｄからのインク噴射頻度が低い場合は、駆動回路１Ａ、１Ｂ、１Ｃ、１Ｄを構成するドライバ２Ａ、２Ｂ、２Ｃ、２Ｄ（図１）がヘッド５０Ａ、５０Ｂ、５０Ｃ、５０Ｄを噴射動作させる際に生じる電力損失が少ないため、駆動回路１Ａ、１Ｂ、１Ｃ、１Ｄの発熱量が少なく温度上昇は少ない。そのため、
駆動回路１Ａ、１Ｂ、１Ｃ、１Ｄから出力される温度信号は少ししか電圧低下しない。この場合、コントローラ９は、駆動回路１Ａ、１Ｂ、１Ｃ、１Ｄが異常温度になっていないと判断し、ヘッド５０Ａ、５０Ｂ、５０Ｃ、５０Ｄからインク噴射を続ける
【００９２】しかし、ヘッド５０Ａ、５０Ｂ、５０Ｃ、５０Ｄの内１個でもインク噴射頻度が高い場合は、インク噴射頻度の高いヘッドに対応したドライバの電力損失が大きくなるため、そのドライバを含む駆動回路の発熱量が大きく温度上昇は、大きくなる。
そのため、温度信号はしきい値以下に電圧低下する。この場合、コントローラ９は、駆動回路１Ａ、１Ｂ、１Ｃ、１Ｄの何れかが異常温度になっていると判断し、ヘッド５０Ａ、５０Ｂ、５０Ｃ、５０Ｄからインク噴射頻度を下げるように印字装置を制御する。インク噴射頻度を下げるように印字装置を制御する例としては、印字休止時間の延長
　
　ここで、図１等の記載を参照すると、温度センサーは、駆動回路内に設けられていることが読み取れる。これらを踏まえると、引用刊行物１には次の発明（以下、「引用発明」という。）が記載されているものと認められる。
　
「インクを噴射するための圧電素子を、駆動回路からの駆動信号により駆動してインクを噴射させるとともに、ダイオードのアノード・カソードとの間の電圧値によって、環境温度を検出するカラーインクジェット方式印字装置において、
　温度センサーに含まれているダイオードには、電流を流すための電源が接続され、前記ダイオードは温度に応じた温度信号を出力し、
　前記ダイオードから出力された温度信号をしきい値と比較し、その比較結果によって、温度信号線を介して信号変換器及びコントローラに対して、対応する電気信号を出力する温度センサーを、駆動回路内に設けており、
　前記コントローラは、印刷動作にさいして、前記圧電素子を前記駆動信号によって駆動させる信号を出力し、
　前記コントローラは、前記電気信号に基づいて、駆動回路が所定温度以上になったことを検出した場合は、インク噴出頻度を下げるために、印字休止時間を延長させる、カラーインクジェット方式印字装置の制御回路。」
　
（２−２）引用刊行物２
　同じく、本願の出願前に頒布された特開平９−１３１８７９号公報（前置報告書における引用文献２、以下、「引用刊行物２」という。）には、図面とともに以下の事項が記載されている（下線は当審で付与）。
　
（２ａ）「【００１７】そして、印字ヘッド２からインクが印字面に適切に吐出されるよう、
ＲＯＭ３４の駆動電圧設定プログラムによって印字ヘッド２の温度が検出され、印字ヘッド２の駆動電圧が設定される。そこで、先ず印字ヘッド２の周囲温度を検出するサーミスタ３からアナログ信号が出力されると、バッファアンプ１１で演算増幅され第１コンパレータ１６及び第２コンパレータ１７のプラス端子に入力され、比較電圧１８，１９での設定電圧と比較が行なわれる
【００１８】
第１コンパレータ１６では、温度２０℃の出力電圧に対応した比較電圧１８が設定されており、その設定電圧を超える値、即ち印字ヘッド２の周囲温度が２０℃を越えていれば、サーミスタ３から出力されたアナログ信号がデジタル変換され、端子２０Ａに負のパルス信号が発信され、２０℃以下であれば正のパルス信号が発信される。一方、第２コンパレータ１７では、温度３０℃の出力電圧に対応した比較電圧１９が設定されており、その設定電圧を超える値、即ち印字ヘッド２の周囲温度が３０℃を越えていれば、端子２０Ｂに負のパルス信号が発信され、３０℃以下であれば正のパルス信号が発信される
（中略）
【００２０】このように、
本実施の形態のインクジェットプリンタでは、従来サーミスタで検出した出力結果をアナログ信号のままフレキシブルケーブルを介してＣＰＵ側へ電送していたため、途中でノイズが入って正確な温度を確認できずに印字ヘッドの駆動電圧が設定されるといったことがあったが、温度検出回路８を介してフレキシブルケーブル７にはデジタル信号として入力するためノイズの影響を受けることなく、正確な印字ヘッド２周辺温度の検出が可能となった。
　
（２−３）引用刊行物３
　同じく、本願の出願前に頒布された特開平３−１５５９５０号公報（前置報告書における引用文献３、以下、「引用刊行物３」という。）には、図面とともに以下の事項が記載されている（下線は当審で付与）。
（３ａ）「第６図は本例に係る制御手順の一例を示す。
ステップS21で１ラインの記録が実施されると、ステップS22でヘッド温度検出を行い、ステップS23でその温度が設定した温度Tmより高いか否かを判断する。設定温度より高いとの判断であれはステップS24に進み非記録時間、すなわちシリアルスキャンのインターバルを増加させ（例えは速度を低下させてキャリッジリターンを行い）、ステップS21に復帰して次ラインの記録を行う
　
（３）対比・判断
　本願補正発明と引用発明とを対比すると、引用発明の
「駆動回路」、
「インクを噴射」、
「カラーインクジェット方式印字装置」、
「温度信号線」、
（駆動信号によって駆動させる）「信号」、
は、それぞれ、本願補正発明の
　
「ヘッド駆動回路」、
「インク滴を吐出」、
「インクジェット式印刷装置」、
「ケーブル」、
（駆動信号によって駆動させる）「制御信号」
　
に相当する。
　
　ここで、引用刊行物１の段落【００４１】〜【００４７】の記載から、引用発明における温度信号も、ダイオードのアノード・カソード間の電圧に基づいて生成される信号であり、本願補正発明の「アノード・カソード間電圧」も、得られた電圧値に基づいて、スイッチ回路ＩＣの温度を所定温度と比較する、すなわち、得られた電圧値を信号値として用いていることから、引用発明の「温度信号」と、本願補正発明の「アノード・カソード間電圧」は、いずれも「ダイオードから発生する制御信号値」の点で共通する。
　また、インクジェット式印刷装置に用いられるヘッドにおいて、各ヘッドに複数のノズルを有し、それぞれのノズルに対応して圧電素子等の素子を用いて圧力を加えるようにすることは、普通のことであり、引用発明でも当然そのような構成となっているものと認められる。
　さらに、引用発明における「コントローラ」と、本願補正発明における「集積化されたスイッチ回路ＩＣ」は、いずれも「駆動回路を駆動するための部材」の点で共通し、引用発明の「コントローラ」、「駆動回路」、本願補正発明の「集積化されたスイッチ回路ＩＣ」、「ヘッド駆動回路」は、いずれも「ヘッド駆動用部材」であるものといえる。
　また、引用発明の電源は、電流を流すためとの記載しかないが、その後温度信号をしきい値と比較していることを考慮すると、判断基準のしきい値となるように、一定の電圧を供給するようにしているものと考えられる。
　さらに、引用発明の「カラーインクジェット方式印字装置の制御回路」は、コントローラ等を用いて圧電素子の制御を行っていることから、本願補正発明の「インクジェット式印刷装置のヘッド駆動装置」に相当するといえる。
　次に、温度検出部について、引用発明には環境温度の検出とのみ記載されており、いずれの箇所に設けるかについて明記はないが、インクジェットのヘッドやノズルの温度影響を補正するという発明の目的を勘案すると、温度検出部を駆動回路内に設けていることは当然のことである。また、引用発明では、温度検出部で検出された温度と所定温度の大小と、アノード・カソード間電圧としきい値との大小関係の相関について明記されていないが、ＰＮ接合素子を有するダイオードのアノード・カソード間電圧の温度による影響は、一般的な物理現象であることから、温度が基準温度よりも低くなったときは、ダイオードから発生する制御信号値はしきい値よりも小さくなり、逆に温度が基準温度よりも高くなったときには制御信号値はしきい値よりも大きくなるという関係は、本願補正発明と引用発明で同じ関係となるものと考えられる。
　最後に、引用発明における「印字休止時間を延長」させることは、結果として本願補正発明のように「印刷パスの開始を中断する」こととなることは自明である。
　
　以上のことを踏まえると、両者は、
「複数のノズルに対応してそれぞれ設けられたインクに圧力を加える圧電素子を、駆動回路を駆動するための部材により順次に選択的に所定の印刷タイミングでヘッド駆動回路からの駆動信号により駆動し、対応するノズルからインク滴を吐出させて記録を行なうと共に、ダイオードから発生する制御信号値に基づいて、印刷装置本体の制御部にて、ヘッド駆動用部材が所定温度以上になったことを検出して、印刷動作を制御する、インクジェット式印刷装置のヘッド駆動装置において、
　前記ダイオードには一定の電圧の電源が接続され、前記ダイオードは温度に応じた前記制御信号値を出力し、
　前記ダイオードの前記制御信号値に基づいて、温度を前記所定温度と比較し、上記ダイオードの前記制御信号値が前記所定温度に基づく基準値より低くなったとき、ケーブルを介して印刷装置本体の前記制御部に対して、前記基準値より低くなったことに対応する信号を出力する温度検出部を、前記印刷ヘッド内に含んでおり、
　前記制御部は、印刷動作にさいして、前記駆動回路を駆動するための部材を制御して前記圧電素子を前記駆動信号によって駆動させる制御信号を、前記駆動回路を駆動するための部材に出力し、
　前記制御部は、前記信号に基づいて、上記スイッチ回路ＩＣが、上記所定温度以上になったか否かを検出し、前記スイッチ回路ＩＣが前記所定温度以上になったことを検出した場合には、当該印刷パスの開始を中断する、インクジェット式印刷装置のヘッド駆動装置。」
の点で一致し、
　
以下の点で相違する。
　
・相違点１
　駆動回路を駆動するための部材が、本願補正発明では「集積化されたスイッチ回路ＩＣ」であるのに対し、引用発明では「コントローラ」であって、集積化されたＩＣであるのか不明である点。
　
・相違点２
　温度検出部が出力する信号が、本願補正発明では「デジタル信号」であるのに対し、引用発明ではどのような信号であるのか不明である点。
　
・相違点３
　温度検出部の検出対象が、本願補正発明では「スイッチ回路ＩＣ」であるのに対し、引用発明では「駆動回路」である点。
　
・相違点４
　ヘッド駆動用部材の温度検出を、本願補正発明では「各印刷パス開始前の毎に」行っているのに対し、引用発明では、いずれの時点で行っているのか不明である点。
　
　上記相違点について検討する。
　
・相違点１及び２について
　引用刊行物２には、インクジェットプリンタにおいて、駆動電圧の設定を集積回路であるＲＯＭを用いて行うこと、及び、サーミスタによって検出されたアナログ信号をデジタル信号に変換して発信を行うことが記載されている。
　引用発明と、引用刊行物２に記載の事項は、いずれもインクジェット式記録装置において、印字ヘッド周辺の温度を検出して制御を行う点で共通しているから、引用発明において、引用刊行物２に記載のように、駆動電圧の設定を行う部材を、集積化したメモリを用いて行うようにして、さらに検出された温度に関する信号をデジタル信号に変換して出力するようにすることは、当業者が適宜容易になし得ることである。
　
・相違点３について
　本願補正発明では、スイッチ回路ＩＣの温度を検出しているが、本願の明細書の段落【００１３】の「このような状態で、印刷を続けると、各スイッチ回路ＩＣ６の温度がさらに上昇して、各スイッチ回路ＩＣ６や圧電素子２が熱破壊してしまうことがある。」の記載から、温度上昇は、スイッチ回路ＩＣ、圧電素子のいずれに対しても熱破壊という害を及ぼすものであり、一方の温度上昇によって、他方にも悪影響を及ぼすことが読み取れる。
　してみると、駆動回路の温度検出を行っている引用発明において、温度検出の対象を駆動回路を駆動するための部材に代えるようにすることは、当業者が適宜定めうることにすぎない。
　
・相違点４について
　引用刊行物３には、インクジェット記録装置におけるヘッドの温度検出を、１ラインの記録が実施されたときに行うこと、すなわち、ラインの記録の間に行い、温度が設定温度よりも高い場合に、シリアルスキャンのインターバル時間を増加、すなわち、スキャンの開始を遅らせるようにすることが記載されている。
　引用発明と引用刊行物３に記載の事項は、いずれもインクジェット記録装置において温度検出を行い、温度が所定の温度よりも高い場合に、スキャンの開始を中断ないし遅らせるという点で共通しているから、引用発明における温度検出の時期を、ラインの記録の間となる、各印刷パス開始の前毎に行うようにすることは、当業者が適宜容易になし得ることである。
　
　効果の点についても、引用発明及び引用刊行物２及び３の記載から予測し得る程度のものにすぎない。
　
　したがって、本願補正発明は、引用刊行物１〜３に記載された発明に基づいて、当業者が容易に発明をすることができたものであるから、特許法第２９条第２項の規定により特許出願の際独立して特許を受けることができない。
　
（４）補正案について
　なお、審判請求人は当審からの審尋に対する回答書において、以下の補正案を提示しているので、かかる補正案について検討する。
　
「【請求項１】 
複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、前記スイッチ回路ＩＣが所定温度以上になったことを検出して、印刷動作を制御する、インクジェット式印刷装置のヘッド駆動装置で
あって
　前記ダイオードには一定の電圧の電源が接続され、前記ダイオードは温度に応じた前記アノード・カソード間電圧を出力し、 
　前記ダイオードの前記アノード・カソード間電圧に基づいて、前記スイッチ回路ＩＣの温度を前記所定温度と比較し、上記ダイオードの前記アノード・カソード間電圧が前記所定温度に基づく基準値より低くなったとき、前記基準値より低くなったことに対応するデジタル信号を出力する温度検出部を、前記印刷ヘッド内に含んでおり、 
　
前記温度検出部から出力されるデジタル信号は、前記スイッチ回路ＩＣの温度が前記所定温度を越えた場合にはＬレベルとなり、前記所定温度以下の場合にはＨレベルとなる、ＬレベルかＨレベルの信号であり
　
複数の前記スイッチ回路ＩＣに対応してそれぞれ設けられた各前記温度検出部からそれぞれ出力された各前記デジタル信号をそれぞれお互いにアンド接続して一本のケーブルで前記印刷装置本体の前記制御部に対して出力し
　前記制御部は、印刷動作にさいして、前記スイッチ回路ＩＣを制御して前記圧電素子を前記駆動信号によって駆動させる制御信号を、前記スイッチ回路ＩＣに出力し、 
　前記制御部は、
前記制御部に対して出力された
　ことを特徴とする、インクジェット式印刷装置のヘッド駆動装置。 
  
 【請求項２】 
複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、前記スイッチ回路ＩＣが所定温度以上になったことを検出して、印刷動作を制御する、インクジェット式印刷装置のヘッド駆動方法で
あって
　前記ダイオードには一定の電圧の電源が接続され、前記ダイオードは温度に応じた前記アノード・カソード間電圧を出力し、 
　前記印刷ヘッドに含まれる温度検出部は、前記ダイオードの前記アノード・カソード間電圧に基づいて、前記スイッチＩＣの温度を前記所定温度と比較し、上記ダイオードの前記アノード・カソード間電圧が前記所定温度に基づく基準値より低くなったとき、前記基準値より低くなったことに対応するデジタル信号を出力し、 
　
前記温度検出部から出力されるデジタル信号は、前記スイッチ回路ＩＣの温度が前記所定温度を越えた場合にはＬレベルとなり、前記所定温度以下の場合にはＨレベルとなる、ＬレベルかＨレベルの信号であり
　
複数の前記スイッチ回路ＩＣに対応してそれぞれ設けられた各前記温度検出部からそれぞれ出力された各前記デジタル信号をそれぞれお互いにアンド接続して一本のケーブルで前記印刷装置本体の前記制御部に対して出力し
　前記制御部は、印刷動作にさいして、前記スイッチ回路ＩＣを制御して前記圧電素子を前記駆動信号によって駆動させる制御信号を、前記スイッチ回路ＩＣに出力し、 
　前記制御部は、
前記制御部に対して出力された
　ことを特徴とする、インクジェット式印刷装置のヘッド駆動方法。」
　
　ここで、請求項２は実質的に請求項１を方法の発明としたものであるため、請求項１について検討し、その中でも特に今回の補正案において付加された構成について検討する。
　
　まず、「
前記温度検出部から出力されるデジタル信号は、前記スイッチ回路ＩＣの温度が前記所定温度を越えた場合にはＬレベルとなり、前記所定温度以下の場合にはＨレベルとなる、ＬレベルかＨレベルの信号
　また、「
複数の前記スイッチ回路ＩＣに対応してそれぞれ設けられた各前記温度検出部からそれぞれ出力された各前記デジタル信号をそれぞれお互いにアンド接続して一本のケーブルで前記印刷装置本体の前記制御部に対して出力
　
　以上のことから、回答書で提示された補正案についても、引用刊行物に記載された発明に基づいて、当業者が容易に発明をすることができたものである。
　
（５）補正の却下の決定についてのむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　
（１）本願発明
　平成２０年１月１１日付けの手続補正は上述のとおり却下されたので、本願の請求項１に係る発明（以下、「本願発明」という。）は、本件補正前の平成１９年８月３１日付け手続補正書により補正された、特許請求の範囲の請求項１に記載された以下のとおりのものである。
 　
「【請求項１】
複数のノズルに対応してそれぞれ設けられたインクに圧力を加える圧電素子を、集積化されたスイッチ回路ＩＣにより順次に選択的に所定の印刷タイミングでヘッド駆動回路からの駆動信号により駆動し、対応するノズルからインク滴を吐出させて記録を行なうと共に、印刷ヘッドのスイッチ回路ＩＣ内に設けられたダイオードのアノード・カソード間電圧に基づいて、印刷装置本体の制御部にて、スイッチ回路ＩＣが所定温度以上になったことを検出して、印刷動作を制御する、インクジェット式印刷装置のヘッド駆動装置において、
上記スイッチ回路ＩＣが、上記所定温度以上になったことを印刷パス開始毎に検出し、上記ダイオードのアノード・カソード間電圧が基準値より低くなったとき、ケーブルを介して印刷装置本体の制御部に対してデジタル信号を出力する温度検出部を含んでいることを特徴とする、インクジェット式印刷装置のヘッド駆動装置。」
　
（２）引用刊行物
　これに対して、原査定の拒絶の理由に引用された特開平８−２４４２３１号公報の記載事項は、前記２．（２）に記載したとおりである。
　
　また、本願の出願前に頒布された特開２００１−５８４０６号公報（原査定の拒絶理由通知書における引用文献２、以下、「引用刊行物４」という。）には、図面とともに以下の事項が記載されている（下線は当審で付与）。
　
（４ａ）「【発明の詳細な説明】
【０００１】
【発明の属する技術分野】
本発明は記録ヘッド及びその記録ヘッドを用いた記録装置に関し、特に、インクジェット方式に従って記録を行なう記録ヘッド及びその記録ヘッドを用いた記録装置に関する
　
（４ｂ）「【００３４】図２は記録装置の制御回路の構成を示すブロック図である。
【００３５】図２において、１７００は記録信号を入力するインタフェース、
１７０１はＭＰＵ、１７０２はＭＰＵ１７０１が実行する制御プログラムを格納するＲＯＭ、１７０３は各種データ（上記記録信号や記録ヘッド１に供給される記録データ等）を保存しておくＤＲＡＭである。
【００３６】
上記制御構成の動作を説明すると、インタフエース１７００に記録信号が入るとゲートアレイ１７０４とＭＰＵ１７０１との間で記録信号がプリント用の記録データに変換される。そして、モータドライバ１７０６、１７０７が駆動されると共に、ヘッドドライバ１７０５に送られた記録データに従って記録ヘッド１が駆動され、記録が行われる
　
（４ｃ）「【００５１】
このバンドギャップ電圧（Ｖbg）に基づいて、温度特性（温度依存性）をもたない基準電圧（Ｖref1〜Ｖref4）が基準電圧回路において設定される
【００５２】バンドギャップ電圧（Ｖbg）は、オペアンプＯＰ2を介して、抵抗Ｒ5に印加され、ＰＭＯＳトランジスタＭ8、Ｍ9、Ｍ10、Ｍ11で構成されるカレントミラーにより抵抗Ｒ5に流れる電流がＲr1〜Ｒr4側にミラーされる。従って、抵抗Ｒ5と抵抗Ｒr1〜Ｒr4の抵抗比とミラー比とにより、Ｖref1〜Ｖref4の電圧が設定される。
【００５３】
一方、熱電圧ＶTは、バンドギャップ電圧源で発生するΔＶbeを増幅し、絶対温度に比例する電圧を得るようにする。
【００５４】バンドギャップ電圧源での電流（Ｉ1＋Ｉ2）から電流Ｉ4を差し引いた電流が、ＭＯＳトランジスタＭ2〜Ｍ5で構成されるカレントミラー回路により、ミラー比１：ｍで抵抗Ｒ4に供給される。」
　
（４ｄ）「【００６４】このようにして、
記録装置はアナログスイッチを制御して、基準電圧が順次異なる値となるように切り換え、これを温度検出回路のコンパレータ（ｃｏｍｐ１）に入力し、その比較結果として２値信号（Ｔ0）を得、その値に基づいて記録ヘッドの温度を知ることができる
【００６５】
従って以上説明した実施形態に従えば、記録ヘッドから温度情報をデジタル２値データとして得ることができるので、従来のように、記録ヘッドの外部にアナログ処理回路を備える必要もなく、制御回路のＣＰＵにＡ／Ｄ変換器を備える必要もないので、簡単で安価な構成で温度情報を得ることができる。
　
（３）対比・判断
　本願発明は、実質的に本願発明から本願補正発明に補正するにあたって付加された限定を省いたものに相当する。
　
　してみると、前記２．（３）と同様の検討により、本願発明と引用発明は、
「複数のノズルに対応してそれぞれ設けられたインクに圧力を加える圧電素子を、駆動回路を駆動するための部材により順次に選択的に所定の印刷タイミングでヘッド駆動回路からの駆動信号により駆動し、対応するノズルからインク滴を吐出させて記録を行なうと共に、印刷ヘッドの駆動回路を駆動するための部材に設けられたダイオードのアノード・カソード間電圧に基づいて、印刷装置本体の制御部にて、スイッチ回路ＩＣが所定温度以上になったことを検出して、印刷動作を制御する、インクジェット式印刷装置のヘッド駆動装置において、
上記駆動回路を駆動するための部材が、上記所定温度以上になったことを検出し、上記ダイオードのアノード・カソード間電圧が基準値より低くなったとき、ケーブルを介して印刷装置本体の制御部に対して信号を出力する温度検出部を含んでいることを特徴とする、インクジェット式印刷装置のヘッド駆動装置。」
の点で一致し、
　
以下の点で相違する。
　
・相違点１
　駆動回路を駆動するための部材が、本願補正発明では「集積化されたスイッチ回路ＩＣ」であるのに対し、引用発明では「コントローラ」であって、集積化されたＩＣであるのか不明である点。
　
・相違点２
　温度検出部が出力する信号が、本願補正発明では「デジタル信号」であるのに対し、引用発明ではどのような信号であるのか不明である点。
　
・相違点３
　温度検出部の検出対象が、本願補正発明では「スイッチ回路ＩＣ」であるのに対し、引用発明では「駆動回路」である点。
　
　上記相違点について検討する。
　
・相違点１及び２について
　引用刊行物４には、インクジェットプリンタにおいて、ヘッドの駆動を行うための制御プログラムが、集積回路であるＲＯＭに格納されていること、及び、温度検出回路から出力された温度情報を、デジタル２値データとして得ることが記載されている。
　引用発明と、引用刊行物４に記載の事項は、いずれもインクジェット式記録装置において、印字ヘッド周辺の温度を検出して制御を行う点で共通しているから、引用発明において、引用刊行物４に記載のように、駆動電圧の設定を行う部材を、集積化したメモリを用いて行うようにして、さらに検出された温度に関する信号をデジタル信号に変換して出力するようにすることは、当業者が適宜容易になし得ることである。
　
・相違点３について
　前記２．（３）における相違点３についての検討と同様である。
　
　したがって、本願発明は、引用発明及び引用刊行物４に記載の事項から、当業者が容易に発明することができたものである。
　
（４）むすび
　以上のとおり、本願の請求項１に係る発明は、引用刊行物１及び４に記載された発明に基づいて当業者が容易に発明をすることができたものであるから、特許法第２９条第２項の規定により特許を受けることができないものであり、本願は、その他の請求項に係る発明について検討するまでもなく、拒絶すべきものである。
　
　よって、結論のとおり審決する。